(57)【要約】  例は、流体を収集する、又は流体を流体収集装置から除去するための衣服、システム、及び方法に関する。流体収集衣服は、着用者の骨盤に着用されるように構成された布体を含み、布体はその上又はその中にポートを有し、ポートはその中に流体収集装置を保持する。液体収集装置は、尿道近くの女性の解剖学的構造又は男性の解剖学的構造を補完するように形作られる。流体収集装置は、導管の１つ以上のセクションを介して流体収集装置と流体連通する真空源を含み得る。
2021520952.tif 000002
【特許請求の範囲】
【請求項１】
対象者の骨盤に着用するように構成された衣服であって、衣服が着用されたときに前記対象者の前記骨盤の尿道領域の周りに配置されるように構成されたポートを有する、衣服と、
前記ポート内に嵌合するサイズ及び形状にされた流体収集装置であって、
少なくとも部分的にチャンバを画定する流体不透過性バリアであって、更にそれを通って延びる開口部を画定し、前記開口部は女性の尿道に隣接して配置されるように、又は男性の尿道がそれを通して配置されるように構成される、流体不透過性バリアと、
前記チャンバ内に配置されたウィッキング材料と、
前記ウィッキング材料内に配置された導管であって、流体収集装置内に配置された入口及び真空源と流体連通するように構成された出口を含む、導管と、を含む流体収集装置と、を備える、
流体収集衣服。
【請求項２】
前記ポートは前記衣服の股に形成されたポケットを含む、請求項１に記載の流体収集衣服。
【請求項３】
前記流体収集装置は女性の流体収集装置として形成される、請求項１〜２のいずれか一項に記載の流体収集衣服。
【請求項４】
前記流体収集装置は実質的に円筒形である、請求項１〜３のいずれか一項に記載の流体収集衣服。
【請求項５】
前記流体収集装置は男性の流体収集装置として構成される、請求項１又は２のいずれか一項に記載の流体収集衣服。
【請求項６】
前記流体収集装置は実質的にカップ形状である、請求項１、２又は５のいずれか一項に記載の流体収集衣服。
【請求項７】
前記ポートは前記衣服の内部に形成される、請求項１〜６のいずれか一項に記載の流体収集衣服。
【請求項８】
前記ポートは前記衣服の外部に形成される、請求項１〜７のいずれか一項に記載の流体収集衣服。
【請求項９】
前記衣服は前記対象者と前記流体収集装置の前記開口部に接する位置にメッシュ材料を含む、請求項１〜８のいずれか一項に記載の流体収集衣服。
【請求項１０】
前記衣服は前記ポートとその中の流体収集装置の位置を、前記対象者の尿道に対して変更するように構成された１つ以上の調整可能なストラップを含む。請求項１〜９のいずれか一項に記載の流体収集衣服。
【請求項１１】
流体を保持するように構成された流体貯蔵容器と、
ポートを中に含む衣服と、
前記ポート内に配置されて前記流体貯蔵容器と流体連通するようにサイズを決められて構成された流体収集装置であって、
少なくとも部分的にチャンバを画定する流体不透過性バリアであって、更にそれを通って延びる開口部を画定し、前記開口部は女性の尿道に隣接して配置されるように、又は男性の尿道がそれを通して配置されるように構成される、流体不透過性バリアと、
前記チャンバ内に配置されたウィッキング材料と、
前記ウィッキング材料内に配置された導管であって、流体収集装置内に配置された入口及び出口を含む、導管と、を含む流体収集装置と、
前記流体貯蔵容器又は前記流体収集装置の前記出口との１つ以上に流体連通しており、前記流体収集装置から流体を引き出すように構成された真空源と、を備える、
流体収集システム。
【請求項１２】
前記衣服は対象者の骨盤に着用するように構成され、前記ポートは前記衣服が着用されたときに前記対象者の前記骨盤の尿道領域の周りに配置されるように構成される、請求項１１に記載の流体収集システム。
【請求項１３】
前記ポートは前記衣服の股に形成されたポケットを含む、請求項１１又は１２のいずれか一項に記載の流体収集システム。
【請求項１４】
前記衣服はソング、ブリーフ、局部用サポータ、ショーツ、又はパンツの１つ以上を含む下着として構成される、請求項１１〜１３のいずれか一項に記載の流体収集システム。
【請求項１５】
前記流体収集装置は略円筒形を含む、請求項１１〜１４のいずれか一項に記載の流体収集システム。
【請求項１６】
前記流体収集装置は実質的にカップ形状である、請求項１１〜１４のいずれか一項に記載の流体収集システム。
【請求項１７】
流体を収集する方法であって、
流体収集装置を衣服のポートに配置する工程であって、前記ポートは前記流体収集装置の開口部を前記衣服の着用者の尿道と位置合わせするようにサイズが決められ、前記衣服上に配置される、工程と、
前記衣服を前記着用者に配置して、前記流体収集装置を前記着用者の前記尿道に隣接して配置する工程と、
流体を前記尿道から前記流体収集装置のチャンバの中へ受容する工程と、を含む、
方法。
【請求項１８】
前記チャンバ内に配置されて真空源と流体連通にある導管を介して、前記チャンバから前記流体を吸引するのに効果的な前記真空源を用いて吸引を加える工程を更に含む、請求項１７に記載の方法。
【請求項１９】
前記流体収集装置は、
少なくとも部分的に前記チャンバを画定する流体不透過性バリアであって、更にそれを通って延びる開口部を画定し、前記開口部は女性の尿道に隣接して配置されるように、又は男性の尿道がそれを通して配置されるように構成される、流体不透過性バリアと、
前記チャンバ内に配置されたウィッキング材料と、
ウィッキング材料内に配置された導管であって、前記流体収集装置内に配置された入口及び出口を含む、導管と、を含む、
請求項１６又は１７のいずれか一項に記載の方法。
【請求項２０】
前記衣服を前記着用者に配置して、前記流体収集装置を前記着用者の前記尿道に隣接して配置することは、前記流体収集装置を前記衣服の前記ポートに配置した後に実行される、請求項１７〜１９のいずれか一項に記載の方法。
【発明の詳細な説明】
【技術分野】
【０００１】
（関連出願の相互参照）
本出願は、２０１８年５月１日に出願された米国仮出願第６２／６６５，３３５号の優先権を主張し、その開示はその全体が、この参照により本明細書に組み込まれる。
【背景技術】
【０００２】
個人は、可動性が限られているか損なわれている場合があり、そのため、通常の排尿プロセスが困難又は不可能である。例えば、個人は、可動性を損なう手術を受けるか、又は障害がある可能性がある。別の例では、個人は、パイロット、運転手、及び危険区域での労働者による経験のような、制約された移動条件を有する可能性がある。更に、個人からの流体収集は、モニタリング目的又は臨床試験のために必要とされる場合がある。
【０００３】
便器、及び導尿カテーテルなどの尿道カテーテルを用いて、これらの状況のいくつかに対処できる。しかし、便器及び尿道カテーテルには、それらに関連するいくつかの問題がある。例えば、便器は不快感、こぼれ、その他の衛生上の問題となりやすい場合がある。尿道カテーテルは不快で痛みを伴う場合があり、尿路感染症を引き起こす可能性がある。
【０００４】
したがって、流体収集装置のユーザ及び製造業者は、集尿するための新しく改良された装置、システム、及び方法を引き続き探求している。
【発明の概要】
【課題を解決するための手段】
【０００５】
本明細書に開示される実施形態は、流体収集装置を担持する衣服及び衣服を含有する流体収集装置を使用する方法に関する。
【０００６】
一実施形態では、流体収集衣服が開示される。流体収集衣服は、対象者の骨盤に着用するように構成された衣服を含み、衣服は、衣服が着用されたときに対象者の骨盤の尿道領域の周りに配置されるように構成されたポートを有する。流体収集衣服は、ポート内に嵌合するようなサイズ及び形状の流体収集装置を含む。流体収集装置は、少なくとも部分的にチャンバを画定する流体不透過性バリアを含み、流体不透過性バリアもまたそれを通って延びる開口部も画定し、開口部は女性の尿道に隣接して配置されるように、又は男性の尿道をそれに通して配置するように構成される。流体収集装置は、チャンバとともに配置されたウィッキング材料を含む。流体収集装置は、ウィッキング材料内に配置された導管を含み、導管は流体収集装置内に配置された入口、及び真空源と流体連通するように構成された出口を含む。
【０００７】
一実施形態では、流体収集システムが開示される。流体収集システムは、流体を保持するように構成された流体貯蔵容器を含む。流体収集システムは、その中にポートを含む衣服を含む。流体収集システムは、ポート内に配置され、流体貯蔵容器と流体連通するようにサイズが決められ、構成された流体収集装置を含む。流体収集装置は少なくとも部分的にチャンバを画定する流体不透過性バリアを含み、流体不透過性バリアはまた、それを通って延びる開口部を画定し、開口部は、女性の尿道に隣接して配置されるように、又は男性の尿道がそれを通して配置されるように構成される。流体収集装置は、チャンバとともに配置されたウィッキング材料を含む。流体収集装置は、ウィッキング材料内に配置された導管を含み、導管は、流体収集装置内に配置された入口と出口とを含む。流体収集システムは、流体貯蔵容器又は流体収集装置の出口の１つ以上と流体連通する真空源を含み、真空源は、流体収集装置から流体を引き出すように構成される。
【０００８】
一実施形態では、流体を収集する方法が開示される。この方法は、流体収集装置を衣服のポートに配置することを含み、ポートは、流体収集装置の開口部を衣服の着用者の尿道と位置合わせするようにサイズが決められ、衣服上に配置される。この方法は、着用者に衣服を配置することを含み、その結果、流体収集装置は着用者の尿道に隣接して配置される。この方法は、尿道から流体収集装置のチャンバの中に流体を受容することを含む。
【０００９】
開示された実施形態のいずれかからの特徴は、限定されることなく、互いに組み合わせて使用されてもよい。加えて、本開示の別の特徴及び利点は、以下の詳細な説明及び添付の図面を考慮することにより、当業者に明らかになるであろう。
【図面の簡単な説明】
【００１０】
図面は、本開示のいくつかの実施形態を示し、同一の参照番号は、図面に示される異なる図又は実施形態における同一又は類似の要素又は特徴を指す。
【図１】一実施形態による、流体収集用衣服の正面図である。
【図２Ａ】一実施形態による、流体収集装置の等角図である。
【図２Ｂ】一実施形態による、図２Ａの流体収集装置の平面Ａ−Ａの断面図である。
【図３】一実施形態による、流体収集装置の断面図である。
【図４】一実施形態による、流体収集用衣服の正面図である。
【図４Ａ】一実施形態による、図４の衣服の側面図概略である。
【図４Ｂ】一実施形態による、図４の衣服の側面図概略である。
【図４Ｃ】一実施形態による、図４の衣服の後面の等角図である。
【図５】一実施形態による、流体収集用衣服の正面図である。
【図６】一実施形態による、流体収集用衣服の正面図である。
【図７】一実施形態による、流体収集用衣服の正面図である。
【図７Ａ】一実施形態による、流体収集用衣服の正面図である。
【図８】一実施形態による、流体収集用システムのブロック図である。
【図９】一実施形態による、流体を収集する方法の流れ図である。
【発明を実施するための形態】
【００１１】
本明細書に開示される実施形態は、流体収集装置を担持する衣服と、その使用方法に関する。衣服は、その中に流体収集装置を保持するようにサイズを決められ、配置されたポート（例えば、ポケット）を含む。衣服は、ポート内に少なくとも部分的に嵌合するサイズの少なくとも１つの流体収集装置を担持する。ポートは、衣服が着用されたときに、その中の流体収集装置を着用者の１つ以上の解剖学的構造（例えば、尿道）と位置合わせするように衣服上に配置される。
【００１２】
いくつかの例では、衣服は、ポートの領域に材料を含み、それは流体がその中の流体収集装置に容易に通過することを可能にする。流体収集装置は、その中にチャンバを少なくとも部分的に画定する流体不透過性バリアを含む。流体不透過性バリアはまた、バリアを通って延びる開口部を画定し、それは女性の尿道に隣接して配置されるように、又は男性の尿道がそれを通って配置されるように構成される。流体収集装置は、チャンバから流体を除去するための導管を含む。導管は、流体収集装置のチャンバと流体連通する（例えば、その中に配置される）入口と、真空源又は流体貯蔵容器と流体連通する（例えば、流体的に結合される）ように構成された出口とを含む。流体収集装置はまた、入口と出口との間に延びるチャネルを有するチューブを含む。入口は真空源と流体連通するように構成され、出口は流体貯蔵（器又は容器）と流体連通するように構成され、又はその逆である。出口は入口の下流側に配置される。
【００１３】
本明細書に開示される衣服は、個人から流体を収集するように構成される。衣服（例えば、その中の液体収集装置）によって収集された流体は、尿を含み得る。流体収集装置によって収集される体液はまた、膣分泌物、陰茎分泌物、生殖液、血液、汗、又は他の体液のうちの少なくとも１つを含み得る。本明細書に開示される流体収集衣服、システム、及び方法は、着用者のドライ感と衛生を維持し、一方でカテーテル挿入などの流体放出を収集する、より侵襲的な手段の必要性を低減又は排除するのに役立ち得る。
【００１４】
図１は、一実施形態による、流体収集用衣服１０の正面図である。衣服１０は、着用者１６の骨盤に適合し、そこで位置を維持するようなサイズ及び形状にされた布体１２を含む。衣服１０の布体１２は、その中にポート１４を含む。ポート１４は、布体１２の股（例えば、衣服１０が着用されたときに着用者１６の股に対応する位置）に配置されてもよい。衣服の股は、衣服が着用されたときに対象者の陰部から肛門又は会陰まで延びる領域を覆うように配置された衣服の領域を含み得る。ポート１４は、衣服１０が着用されるとき、着用者１６の少なくとも尿道の領域の上に（例えば、股の領域内に）配置される。流体収集装置（図示せず）は、ポート１４内に配置され得て、その結果、尿などのその領域内の流体は流体収集装置によって収集され得る。したがって、衣服１０は、流体収集装置をユーザの尿道と位置合わせするのに役立ち得て、そこから発生する流体を衣服又は寝具を汚す前に収集し得る。
【００１５】
布体１２は、綿、羊毛、絹、ゴムなどの天然材料、又は合成材料、例えばポリアミド（例えば、ナイロン）、ポリ（エチレンテレフタレート）、β?１，４?グルカン−４−グルカノヒドロラーゼ（例、レーヨン）、ポリエステル、シリコーン、ポリエーテル−ポリウレア共重合体（例、スパンデックス）、オレフィン繊維、アクリル繊維など、のうちの１つ以上を含んでもよい。いくつかの例では、布体は、メッシュ布、織布、又は不織布材料のうちの１つ以上を含む。布体１２は、衣服として形成され得て、例えば、下着、パンツ、ショーツ、局部用サポータ、前述のいずれかの調整可能な変形物、又は前述のいずれかの類似物である。そのような例では、ステッチ、ボタン、スナップ、又は別のファスナは、集合的に衣服を形成する複数のパネルを結合し得る。
【００１６】
例では、布体１２は、布の別個の部分又は間隙をそこに含んでもよく、流体が布体１２を通って流れるのを可能にする。例えば、布体１２は下着であってもよく、下着の股は、メッシュ布又は１つ以上の間隙をそこに含み得て、その結果、着用者から放出された尿は布体１２を通過できる。例では、布体１２は、比較的柔らかい布を含む１つ以上の部分と、比較的粗い布を含む１つ以上の部分とを含み得る。例えば、布体１２は、綿マチ及びナイロン本体を含み得る。
【００１７】
ポート１４は、布体１２上又は布体１２内にポケットとして配置されてもよい。ポート１４は、衣服１０が着用されるときに、ポート１４が対象者の骨盤上の尿道領域の周りに位置するように、布体１２に配置されてもよい。例えば、ポート１４は、布体１２の股の上又は股内に配置され得る。ポート１４は、その中に流体収集装置を受容して保持し得る。ポート１４は、少なくとも２つの側面（例えば、３つ又は４つ）で布体１２に付着されてポケットを形成する布の別個の部分であり得る。ポート１４は、流体収集装置を収容するため、流体収集装置がその中に配置されていないとき過剰量の布を含んでもよい。例えば、ポート１４は、本明細書に開示されるもののいずれかなど、女性の流体収集装置又は男性の流体収集装置を収容するサイズと形状にされてもよい。ポート１４は、女性の流体収集装置又は男性の流体収集装置を収容するため、ポート１４を形成する布の量に応じて、例えば調整（例えば、引き紐又はストラップを締結する）によって、調整可能であってもよい。ポート１４は、布体１２に縫い付ける、又は縫い込められてもよい。ポート１４は、布体１２内に一体的に形成されてもよい（例えば、布体１２に織り込む）。
【００１８】
ポート１４は、布体１２に解放可能に取り付け可能であってもよい。例えば、ポート１４は、面ファスナ、ボタン、スナップ、ジッパ、磁石、又は任意の別のファスナによって布体に付着され得る。そのような例では、布体１２は、スナップ接続のオス部分、フック片、ボタン、又は磁石を含み得て、それらは、対象者の股の周りの領域、例えば、衣服を着用する間に着用者の尿道が位置されてもよい領域の周囲の周りに配置される。ポート１４を画定する布片は、布片の周囲の周りに配置されたスナップ接続のメス部分、ループ片、ボタン穴、又は磁石を含み得る。そのような例では、ポート１４は、スナップ接続、フック片、ボタン、又は磁石によって、布体１２上に位置合わせされ、保持され得る。したがって、ポート１４は、衣服内の流体収集装置を、挿入、交換、洗浄、又はその他の方法のサービスのためなどに、取り外して交換し得る。ポート１４は、そこに尿収集装置を保持するための部分的な密封装置、例えば引き紐、スナップ、面ファスナなどを含んでもよい。例えば、ポート１４は、面ファスナなどの一時的に密封可能な構造を上部分に含み得て、ユーザが尿収集装置を挿入及び取り外すのを可能にし、かつユーザがポート１４内で尿収集装置を密封することを可能にする。いくつかの例では、尿収集装置は、ポート１４を形成するために使用される伸縮性材料によってその上に加えられる圧力を介して、ポート１４内に保持されてもよい。
【００１９】
流体収集装置は、衣服１０内（例えば、ポート１４内）に配置され得る。例えば、ポート１４は、本明細書に開示されるもののいずれかなど、女性の流体収集装置又は男性の流体収集装置を収容するサイズ及び形状にされてもよい。
【００２０】
いくつかの例（図示せず）では、ポート１４はポケットを形成しない場合がある。そのような例では、衣服は、ファスナを含んでもよく、流体収集装置を着用者の解剖学的特徴（例えば、尿道）に、又はその上に適合するように構成された衣服上の位置に固定する。例えば、ポートは、スナップ、面ファスナなどを衣服の股に含んでもよく、流体収集装置上の対応するファスナに取り付ける。
【００２１】
図２Ａは、一実施形態による、流体収集装置の等角図である。図２Ｂは、一実施形態による、図２Ａの流体収集装置の平面Ａ?Ａの断面図である。図２Ａと図２Ｂの両方の参照を以下に行う。
【００２２】
流体収集装置１００は、実質的に円筒形、楕円形、角柱状、又は女性対象者の膣領域を補完又は輪郭付けするのに適した任意の他の形状であり得る。流体収集装置１００は、流体不透過性バリア１０２、ウィッキング材料１１５、及び導管１０８を含み得る。ウィッキング材料１１５は、流体不透過性バリア１０２内に配置されてもよい。導管１０８は、ウィッキング材料１１５内に少なくとも部分的に配置されてもよい。
【００２３】
流体不透過性バリア１０２は、流体収集装置１００の外面の少なくとも一部分を少なくとも部分的に画定する。流体不透過性バリア１０２は、その中にチャンバ１０４（例えば、流体収集装置１００の内部領域）及び開口部１０６を少なくとも部分的に画定する。開口部１０６は、流体不透過性バリア１０２内に形成されて、それを通って延び、それによって、流体が、流体収集装置１００の外側からチャンバ１０４に入ることができる。開口部１０６は、女性の尿道に隣接して、例えば、女性ユーザの大陰唇上又はその間に配置されるように構成され得る。
【００２４】
流体不透過性バリア１０２はまた、流体をチャンバ１０４内に一時的に保持又は貯蔵してもよい。例えば、流体不透過性バリア１０２は、任意の適切な流体不透過性材料から形成され得て、例えば、流体不透過性ポリマ（例えば、シリコーン、ポリプロピレン、ポリエチレン、ポリエチレンテレフタレート、ポリウレタン、ポリカーボネート、ポリ塩化ビニル、ラテックス、シリコーンなど）、金属フィルム、別の適切な材料、又はそれらの組み合わせである。したがって、流体不透過性バリア１０２は、流体（複数可）の少なくとも一部が、開口部１０６から離隔されたチャンバ１０４の部分を出るのを防止し得る。
【００２５】
流体不透過性バリア１０２は、空気透過性及び流体不透過性であり得る。そのような例では、流体不透過性バリア１０２は、複数の細孔を画定する疎水性材料で形成され得る。一例では、流体不透過性バリア１０２の外面の少なくとも１つ以上の部分は、柔らかい、及び／又は滑らかな材料から形成され得て、それによってユーザの皮膚の擦れを低減する。流体不透過性バリア１０２は、その上に１つ以上のマーキングなどのマーキングを含んでもよく、ユーザが装置１００を着用者に位置合わせするのを支援する。例えば、流体不透過性バリア１０２の上（例えば、開口部１０６の反対側）のラインは、医療専門家が、着用者の尿道の上に開口部１０６を位置合わせすることを可能にし得る。例では、マーキングは、１つ以上の位置合わせガイド又は方向インジケータ、例えばストライプ又はハッシュを含み得る。そのようなマーキングは、装置１００を恥骨などの１つ以上の解剖学的特徴に位置合わせするように配置され得る。
【００２６】
ウィッキング材料１１５は、流体不透過性バリア１０２内に配置され得る。ウィッキング材料１１５は、流体を吸い上げ、又は通過させるように設計された透過性材料を含んでもよい。本明細書で参照される透過性特性は、ウィッキング、毛細管作用、拡散、又は他の類似の特性若しくは手順であり得て、本明細書では「透過性」及び／又は「ウィッキング」と呼ばれる。そのような「透過性」又は「ウィッキング」は、透過性又はウィッキング材料の中への吸収を含まなくてもよい。ウィッキング材料１１５は、開口部１０６を通って移動する流体を収集し得る。吸収性材料を使用しないことにより、ウィッキング材料１１５は、ウィッキング材料１１５内に流体（複数可）を保持することなく、開口部１０６を通ってチャンバ１０４の中への流体（複数可）の移動を容易にし得る。したがって、装置１００は、流体が着用者からチャンバ１００の中に吸い上げられた後でさえ、着用者とのドライな境界面を提供し得る。ウィッキング材料１１５は、複数の材料などの２つ以上の材料を含んでもよい。複数の材料は、互いに同心円状に配置された複数の層を含み得る。同心円状に配置されたウィッキング材料の層は、ウィッキングの勾配を示してもよく、例えば、最も内側のウィッキング材料が複数の材料のうちの最大又は最小のウィッキング能力を含む。
【００２７】
例では、ウィッキング材料１１５は流体透過性支持体１２０（図２Ｂ）又は流体透過性膜１１８の１つ以上を含んでもよい。例えば、流体収集装置１００は、チャンバ１０４に配置された流体透過性膜１１８を含み得る。流体透過性膜１１８は、開口部１０６の少なくとも一部分（例えば、すべて）を覆うことができる。流体透過性膜１１８は、任意の流体を開口部１０６から離して吸い上げ、それによって流体がチャンバ１０４から逃げるのを防止するように構成され得る。流体透過性膜１１８はまた、以下でより詳細に論じられるように、流体を一般にチャンバ１０４の内部に向かって吸い上げることができる。流体透過性膜１１８は、流体を吸い上げることができる任意の材料を含み得る。流体透過性膜１１８は、非吸収性であるウィッキング材料であってもよい。例えば、流体透過性膜１１８は、布を含むことができ、ガーゼ（例えば、絹、リネン、又は綿のガーゼ）、織布（例えば、トリコットなど）、天然繊維（例えば、羊毛など）、合成繊維（例えば、ポリエステル、ナイロン、ポリプロピレン、スパンデックスなど）、処理された布（例えば、綿、絹、リネン、又は１つ以上の疎水性薬剤又は親水性薬剤で化学的に処理されて流体を皮膚から離すその別の布地）、任意の別の柔らかい布、又は任意の別の滑らかな布などである。いくつかの例では、流体透過性膜１１８は、連続気泡発泡体を含み得て、例えば、上記に開示された流体透過性膜材料１１８のいずれかから形成され、流体を吸い上げる発泡体である。発泡体は、発泡体の薄層であり得る。ガーゼ、柔らかく及び／又は滑らかな布、又は柔らかく／滑らかな発泡体から流体透過性膜１１８を形成することにより、流体収集装置１００がユーザの皮膚を摩擦することによって引き起こされる擦れを減らし得る。
【００２８】
流体収集装置１００は、チャンバ１０４の中に配置された流体透過性支持体１２０（図２Ｂ）を含み得る。流体透過性支持体は、流体透過性膜１１８を支持してもよく、それは流体透過性膜１１８が折り畳み可能、薄くて弱い、又はそうでなければ容易に変形可能な材料から形成され得るためである。例えば、流体透過性支持体は、流体透過性膜１１８が流体透過性支持体と流体不透過性バリア１０２との間に配置されるように位置決めされ得る。したがって、流体透過性支持体は、流体透過性膜１１８の位置を支えて維持し得る。流体透過性支持体は、流体透過性膜１１８よりも変形しにくい任意の流体透過性材料から形成され得る。例えば、流体透過性支持体１２０は、多孔質ナイロン構造又は連続気泡発泡体を含み得る。いくつかの例では、流体透過性支持体１２０は、流体収集装置１００から省略することができる。
【００２９】
いくつかの例では、ウィッキング材料１１５（例えば、流体透過性膜１１８又は流体透過性支持体１２０の１つ以上）は、導管１０８によって占有されていないチャンバ１０４の部分を少なくとも実質的に完全に満たすことができる。例えば、ウィッキング材料１１５は、導管１０８によって占有されていないチャンバ１０４の部分を満たしてもよい。いくつかの例では、流体透過性膜１１８及び流体透過性支持体は、導管１０８によって占有されていないチャンバ１０４の部分を実質的に完全に満たしていない場合がある。そのような例では、流体収集装置１００は、チャンバ１０４内に配置されたリザーバ１２２（例えば、空所）を含み得る。リザーバ１２２は、チャンバ１０４内のウィッキング材料と流体不透過性バリア１０２の内面との間に画定された空所を含んでもよい。ウィッキング材料１１５によって吸い上げられた流体の少なくとも一部は、ウィッキング材料１１５から排出され、リザーバ１２２に集められる場合がある。
【００３０】
流体収集装置１００はまた、チャンバ１０４内に少なくとも部分的に配置された導管１０８を含んでもよい。導管１０８は、ウィッキング材料内に配置され得て、流体収集装置１００内に配置された入口と、真空源と流体連通するように構成された出口とを含む。導管１０８は、プラスチックチューブ（例えば、医療用チューブ）などの可撓性材料を含んでもよい。そのようなプラスチックチューブは、熱可塑性エラストマ、ポリ塩化ビニル、エチレン酢酸ビニル、ポリテトラフルオロエチレンなどのチューブを含み得る。例では、導管１０８は、シリコン又はラテックスを含み得る。導管１０８（例えば、チューブ）は、第１の端部領域に入口と、入口から下流側に配置された第２の端部領域に出口とを含む。導管１０８は、チャンバ１０４の内部領域を、流体貯蔵容器又は真空源と流体的に結合し（例えば、構成要素を流体連通に配置する）、流体収集装置１００から流体を除去する。流体は、導管１０８を介してチャンバ１０４から除去されてもよい。吸引力又は真空力が、真空源（図８）によって導管１０８内に加えられ、又は形成されると、チャンバ１０４内の流体は、入口の中に引き込まれて、導管１０８を介して流体収集装置１００から出てもよい。
【００３１】
いくつかの例では、導管１０８の入口は、チャンバ１０４の最も内側又は重量分析最低点に配置され得る。例えば、導管１０８は、十分に遠くまでチャンバ１０４内に延びて、入口をチャンバ１０４の重量分析最低点（例えば、流体収集装置１００の内部内の流体リザーバ）に配置してもよい。
【００３２】
流体収集装置１００及びその構成要素は、それに加えられた圧力に応答して変形可能（例えば、曲げ可能）であり得る。例えば、流体収集装置１００及びその構成要素は、衣服とユーザとの間に配置されたときなど、ユーザの身体の表面（複数可）に一致するように曲げられてもよい。流体収集装置１００の１つ以上の部分は、弾性的に変形可能であり得て、着用時に少なくとも部分的にユーザの身体に輪郭付けられる。例では、流体収集装置１００は、衣服と流体収集装置１００が着用者（例えば、ユーザ）に配置されるときに、尿道に近接して（例えば、陰唇の間に）配置するときに曲がり得る。そのような例では、流体収集装置１００の長手方向端部は、流体収集装置１００の中央部分との軸方向の整列から外れて曲げられてもよい。
【００３３】
流体収集装置１００は、女性ユーザから流体を受容するようにサイズが決められ、形作られ、そうでなければ構成された女性の流体収集装置１００の一例である。開口部１０６は、女性の尿道に隣接して配置されるように構成され得る。開口部１０６は、流体収集装置１００の上向き又は内向き（例えば、ユーザに向かう）部分に配置され得る。導管１０８（例えば、チューブ）は、第１の端部領域に入口１１０を含み、入口１１０の下流側に配置された第２の端部領域に出口１１２を含む。導管１０８は、チャンバ１０４を流体貯蔵容器（図示せず）又は真空源（図示せず）に流体的に結合する。
【００３４】
図示の例では、導管１０８は、少なくとも部分的にチャンバ１０４内に配置される。例えば、導管１０８は、第１の端部領域（例えば、出口１１２に近接する）から流体不透過性バリア１０２の中に延在してもよく、リザーバ１２２に近接する点まで第２の端部領域（例えば、第１の端領域の反対側）に延びて、入口１１０がリザーバ１２２と流体連通してもよい。いくつかの例（図示せず）では、導管１０８は第２の端部領域に入ってもよく、導管１０８の入口１１０は、第２の端部領域（例えば、リザーバ１２２）に配置されてもよい。流体収集装置１００に収集された流体は、導管１０８を介してチャンバ１０４の内部領域から除去され得る。導管１０８は、本明細書に開示されるようなプラスチックチューブ（例えば、医療用チューブ）などの可撓性材料を含んでもよい。いくつかの例では、導管１０８は、弾性である１つ以上の部分を含んでもよく、例えば、導管が可撓性であることを可能にする１つ以上の直径又は壁厚を有することによる。いくつかの例では、入口１１０は、リザーバ１２２の中に延びなくてもよい。そのような例では、入口１１０は、ウィッキング材料又はその末端部内に配置され得る。
【００３５】
流体収集装置１００は、女性の尿道に近接して（例えば、陰唇上又は陰唇の間に）配置されてもよく、尿は、流体収集装置１００のチャンバ１０４の中に開口部１０６を介して入ってもよい。流体収集装置１００は、流体をチャンバ１０４の中に開口部１０６を介して受容する。例えば、開口部１０６は、細長い形状を示し得て、それは尿道開口部の下の第１の位置（例えば、肛門又は膣開口部、又はその近く）から、尿道開口部の上の第２の位置（例えば、陰核又は陰毛、又はその近く）へ延びるようにサイズを決められて配置される。開口部１０６は、女性着用者の脚が閉じられたときに女性の脚の間の空間が比較的小さいために細長い形状を示し、それによって開口部１０６の細長い形状に対応する経路に沿った流体の流れのみを可能にし得る。流体不透過性バリア１０２の開口部１０６は、流体収集装置１００の長手方向を横切って測定される幅を示し得て、それは流体収集装置１００の円周の少なくとも約１０％であってもよく、例えば、流体収集装置１００の円周の約２５％、３０％、４０％、５０％、６０％、７５％、８５％、１００％、又は前述の任意の組み合わせの範囲であってもよい。開口部１０６は、流体収集装置１００の円周の５０％を超える幅を示す場合があり、それは導管１０８を通る真空（例えば、吸引）が流体を導管１０８の中に引き込むためである。一例では、流体不透過性バリア１０２の１つ以上の部分は、衣服に取り付けられるように構成され得て、例えば、接着的に（例えば、ヒドロゲル層、米国特許出願公開第２０１７／０１８９２２５号に開示され、その開示は、参照によりその全体が本明細書に組み込まれるなどのヒドロゲル接着剤を用いて）取り付けられ、又は機械的に（例えば、面ファスナ、ボタン、スナップなど）取り付けられる。いくつかの例では、開口部１０６は、垂直方向に配向され得る（例えば、流体収集装置１００の長手方向軸に平行である主軸を有する）。いくつかの例では、（図示せず）、開口部１０６は、水平方向に配向され得る（例えば、装置１００の長手方向軸に垂直な主軸を有する）。本明細書に開示される流体収集装置の長手方向軸又は寸法は、装置の最大寸法である軸又は寸法を指し、例えば、図２Ａに示されるような円筒形装置に沿った軸方向である。
【００３６】
図２Ｂに示されるように、ウィッキング材料１１５は、流体透過性膜１１８及び流体透過性支持体１２０の１つ以上を含み得て、各々はチャンバ１０４内に配置される。流体透過性膜１１８は、開口部１０６の少なくとも一部分（例えば、すべて）を覆うことができる。流体透過性膜１１８は、開口部１０６から離して任意の流体を吸い上げ、それによって流体がチャンバ１０４から逃げるのを防ぐように構成される。流体透過性膜１１８はまた、流体を一般的にチャンバ１０４の内部に向かって吸い上げることができ、これは例えば、真空によって供給される圧力差、又は次第に強くなるウィッキング材料（複数可）の勾配（例えば、流体透過性膜１１８よりも流体透過性支持体１２０におけるより強い吸い上げ能力）のためである。ウィッキング材料１１５は非吸収性であってもよい。
【００３７】
流体透過性支持体１２０は、チャンバ１０４内に、例えば、流体透過性膜１１８内に同心円状に配置され得る。流体透過性支持体１２０は、より硬い材料又はより高密度材料など、流体透過性膜１１８内の材料よりも剛性が高い（例えば、変形しにくい）材料から形成されてもよい。流体透過性支持体１２０は、流体を吸い上げるが非吸収性である材料を含んでもよい。流体透過性支持体１２０は、流体透過性膜１１８について本明細書に開示される材料のいずれかを含み得る。例えば、流体透過性支持体１２０は、多孔質ナイロン構造を含み得る。流体透過性支持体１２０は、流体透過性膜１１８を支持するようなサイズ及び形状にされ、これは流体透過性膜１１８が折り畳み可能、薄くて弱い、又はそうでなければ比較的容易に変形可能な材料から形成され得るためである。例えば、流体透過性支持体１２０は、流体透過性膜１１８が流体透過性支持体１２０と流体不透過性バリア１０２との間に配置されるように位置決めされ得る。したがって、流体透過性支持体１２０は、流体透過性膜１１８の位置を支えて維持する一方で、そこから流体をチャンバ１０４の中に吸い上げて、流体収集装置１００から除去することができる。いくつかの例では、流体透過性支持体１２０は、流体透過性膜１１８よりも比較的高いウィッキング材料で形成され得る。流体透過性支持体１２０は、流体収集装置１００のいくつかの例から省略され得る。
【００３８】
いくつかの例では、流体透過性膜１１８及び流体透過性支持体１２０は、導管１０８によって占有されていないチャンバ１０４の部分を少なくとも実質的に完全に満たし得る。別の例では、流体透過性膜１１８及び流体透過性支持体１２０は、導管１０８によって占有されていないチャンバ１０４の部分を実質的に完全に満たさなくてもよい。そのような例では、流体収集装置１００は、リザーバ１２２を含む。リザーバ１２２は、チャンバ１０４の実質的に占有されていない部分である。チャンバ１０４にある流体は、流体透過性膜１１８及び／又は流体透過性支持体１２０を通ってリザーバ１２２に流動し得る。リザーバ１２２は、その中に流体の少なくとも一部を貯蔵し得る。例えば、流体不透過性バリア１０２は、リザーバ１２２内に流体を貯蔵し得る。リザーバ１２２は、チャンバ１０４の内部領域の任意の部分に配置されてもよい。例えば、流体リザーバ１２２は、チャンバ１０４の第２の端部領域に配置されてもよい。
【００３９】
リザーバ１２２は、入口１１０に最も近いチャンバ１０４の部分（例えば、第２の端部領域）に配置され得る。しかしながら、リザーバ１２２は、チャンバ１０４内の異なる位置に配置され得る。例えば、リザーバ１２２は、出口１１２に最も近いチャンバ１０４の端部に位置され得る。別の例では、流体収集装置１００は、複数のリザーバを含み得て、例えば、入口１１０に最も近いチャンバ１０４の部分（例えば、第２の端部領域）に配置された第１のリザーバと、出口１１２に最も近いチャンバ１０４の部分（例えば、第１の端部領域）に配置された第２のリザーバである。別の例では、流体透過性支持体１２０は、導管１０８の少なくとも一部分から離隔され、リザーバ１２２は、流体透過性支持体１２０と導管１０８との間の空間であり得る。
【００４０】
いくつかの例では、流体収集装置１００は、実質的に円筒形、楕円形、角柱状、又は女性対象者の膣領域を補完又は輪郭付けするのに適した任意の他の形状であり得る。本明細書に開示される流体収集装置の断面形状は、様々な形状又はサイズのいずれかを含んでもよい。例えば、断面形状（長手方向軸を横切る）は、実質的に丸形（例えば、円形）、楕円形、長方形、三角形、不規則（例えば、特定の形状を有さない）などであってもよい。
【００４１】
流体不透過性バリア、流体透過性膜、流体透過性支持体、チャンバ、及びそれらの形状と構成の別の例は、２０１７年６月１日に出願された米国特許出願第１５／６１１，５８７号及び２０１６年９月８日に出願された米国特許出願第１５／２６０，１０３号（２０１６年１２月２９日にＵＳ２０１６−０３７４８４８として公開された）に開示され、それぞれの開示は、その全体がこの参照により本明細書に組み込まれる。
【００４２】
流体不透過性バリア１０２、流体透過性膜１１８、及び流体透過性支持体１２０は、導管１０８を少なくとも部分的にチャンバ１０４内に配置するように構成され得る。例えば、流体透過性膜１１８及び流体透過性支持体１２０の少なくとも一方は、導管１０８を収容する空間を形成するように構成され得る。別の例では、流体不透過性バリア１０２は、導管１０８（例えば、少なくとも１つのチューブ）を受容するサイズの開口１２４を画定できる。少なくとも１つの導管１０８は、開口１２４を介してチャンバ１０４内に配置され得る。開口１２４は、導管１０８又は少なくとも１つのチューブに対して少なくとも部分的に流体密シールを形成するように構成され得て、それにより、流体がチャンバ１０４から逃げるのを実質的に防止する。いくつかの例では、開口１２４は、リザーバ１２２に近い第２の端部領域に配置されてもよい。そのような例では、導管１０８は、第２の端部領域にのみ配置され、入口１１０は、第２の端部領域（例えば、リザーバ１２２）に配置され得る。
【００４３】
前述のように、導管１０８は、流体貯蔵容器（図示せず）と真空源（図示せず）との１つ以上と流体連通し、その間を少なくとも部分的に延びるように構成される。一例では、導管１０８は、真空源（図示せず）に直接接続されるように構成される。そのような例では、導管１０８は、流体不透過性バリア１０２から少なくとも１フィート、少なくとも２フィート、少なくとも３フィート、又は少なくとも６フィートまで延びることができる。別の例では、導管１０８は、流体貯蔵容器（図示せず）及び真空源（図示せず）の少なくとも一方と間接的に接続されるか、又は流体連通するように構成される。いくつかの例では、導管はカテーテル固定装置を用いて着用者の皮膚に固定され、例えば、これに限定するものではないが、Ｃ．Ｒ．Ｂａｒｄ，Ｉｎｃ．から入手可能なＳＴＡＴＬＯＣＫ（登録商標）カテーテル固定装置を含み、米国特許第６，１１７，１６３号、第６，１２３，３９８号、及び第８，２１１，０６３号に開示され、これらの開示はすべて、参照によりその全体が本明細書に組み込まれる。
【００４４】
入口１１０及び出口１１２は、真空源（図示せず）をチャンバ１０４（例えば、リザーバ１２２）に流体的に（例えば、直接又は間接的に）結合するようにサイズを決められ、配置され、又は他の方法で構成される。一例では、入口１１０及び／又は出口１１２は、オスコネクタを形成し得る。別の例では、入口１１０及び／又は出口１１２は、メスコネクタを形成し得る。一例では、入口１１０及び／又は出口１１２は、確実な結合を容易にするように構成されたリブを含み得る。一例では、入口１１０及び／又は出口１１２は、先細り形状を形成することができる。一例では、入口１１０及び／又は出口１１２は、剛性又は可撓性材料を含むことができる。
【００４５】
入口１１０をチャンバ１０４の重量分析最低点又はその近くに配置することにより、導管は、入口１１０が他の場所に配置された場合よりも多くの流体を受容でき、貯留の可能性を低減する（例えば、流体の貯留は微生物の増殖と悪臭を引き起こす場合がある）。例えば、流体透過性膜１１８及び流体透過性支持体１２０内の流体は、毛細管力のために任意の方向に流動できる。しかしながら、流体は、特に流体透過性膜１１８及び／又は流体透過性支持体１２０の少なくとも一部分が流体で飽和している場合、重力の方向に流れる優先性を示し得る。
【００４６】
真空源（図８）が導管１０８内に真空／吸引を加えると、チャンバ１０４内の（例えば、リザーバ１２２内などの第２の端部領域の）流体（複数可）は、入口１１０の中に引き込まれ、導管１０８を介して流体収集装置１００から出てもよい。
【００４７】
一例では、導管１０８は、少なくともチャンバ１０４に挿入可能であるように構成される。そのような例では、導管１０８は、その外部に１つ以上のマーカ（図示せず）を含み得て、それは導管１０８のチャンバ１０４の中への挿入を容易にするように構成される。例えば、導管１０８は、導管１０８の挿入の過不足を防止するように構成された１つ以上のマーキングをその上に含むことができ、導管１０８が、リザーバ１２２内又はリザーバ１２２に隣接して配置されるように構成された入口１１０を画定する場合などである。別の例では、導管１０８は、チャンバ１０４に対する導管１０８の正しい回転を容易にするように構成された１つ以上のマーキングをその上に含み得る。一例では、１つ以上のマーキングは、ライン、ドット、ステッカ、又は任意の他の適切なマーキングを含むことができる。いくつかの例では、導管は、つや消し又は不透明（例えば、黒色）であってもよく、その中の流体の視認性を不明瞭にする。
【００４８】
一例では、流体収集装置１００の１つ以上の構成要素は、抗菌材料を含み得て、例えば、流体収集装置が着用者又は着用者の体液に接触し得る場合の抗菌材料である。抗菌材料は、ニトロフラゾン又は銀含有コーティングなどの抗菌コーティングを含み得る。抗菌材料は、微生物の増殖、例えば、体液の貯留又は滞留による微生物の増殖を阻害し得る。一例では、流体収集装置１００の１つ以上の構成要素（例えば、不透過性バリア１０２、導管１０８など）は、臭気遮断又は吸収材料、例えば、シクロデキストリン含有材料又は熱可塑性エラストマ（ＴＰＥ）ポリマを含み得る。
【００４９】
図３は、一実施形態による、流体収集装置の断面図である。図３を参照すると、流体収集装置３００は、レセプタクル３５０及びカップ部分３５２（例えば、カップ形状の容器）を含む。レセプタクル３５０は、男性の尿道を取り囲む皮膚に配置され、男性の尿道をそれに通して配置するように、サイズを決められ、形作られ、材料で製造される。例えば、レセプタクル３５０は、レセプタクル３５０に開口部３５６を画定する環状ベース３５４を含み得る。環状ベース３５４は、男性の尿道の周りに配置される（例えば、陰茎の周りに配置される）ようなサイズと形状にされ、開口部３５６は、男性の尿道をそれに通して配置するように構成され得る。環状ベース３５４はまた、男性の尿道の周り（例えば、陰茎の周り）の衣服に結合され（例えば、ヒドロゲル接着剤を用いるなど接着的に取り付けられ）、又は配置されるようにサイズを決められ、形作られ、材料で製造され、又はその他の方法で構成され得る。いくつかの例では、環状ベース３５４は、環状ベース３５４が配置されるか、若しくは結合されるように選択される皮膚表面の一般的な形状を示すことができ、及び／又は弾性変形可能若しくは他の方法で可撓性であり得て、それによって環状ベース３５４が皮膚表面の任意の形状に一致することを可能にする。レセプタクル３５０はまた、中空領域を画定し、それはカップ部分３５２を受容する（例えば、密封する）ように構成される。例えば、レセプタクル３５０は、環状ベース３５４から上方に延びるフランジ３６０を含み得る。フランジ３６０は十分に高く、カップ部分３５２がレセプタクル３５０から誤って除去されるのを防ぐ（例えば、少なくとも０．５ｃｍの高さ、１ｃｍの高さ、少なくとも２ｃｍの高さ、又は少なくとも５ｃｍの高さ）。フランジ３６０は、機械的ロッキング、ねじ切り、締まり嵌め、ファスナ、接着剤などを介して、環状ベース３５４に恒久的又は取り外し可能に取り付けられてもよい。いくつかの例では、環状ベース３５４はオプションである。例えば、レセプタクル３５０は、フランジ３５４のみを含んでもよい。いくつかの例（図示せず）では、流体収集装置は、カップ部分３５２及びレセプタクル３５０が単一部品である一体型の設計を有してもよい。いくつかの例では、レセプタクル３５０はオプションである。
【００５０】
カップ部分３５２は、レセプタクル３５０の中空領域の中に嵌合するようなサイズと形状にされた流体不透過性バリア３０２を含む（例えば、それから形成され得る）。カップ部分３５２は、その中に流体を保持するように形作られる。例えば、流体不透過性バリア３０２は、カップ部分３５２を画定してもよく、例えば、図３に示されるように、囲まれた端部を有する実質的に管状の（例えば、円筒形の）本体を形成する。カップ部分３５２は、男性ユーザの尿道、例えば装置を着用している男性の陰茎などに合うようなサイズと形状にされる。したがって、カップ部分３５２は、その中にチャンバ３０４を備えた略カップ状の形状を有し得る。流体不透過性バリア３０２は、１つ以上の態様において、流体不透過性バリア１０２と類似又は同一であってもよい。流体不透過性バリア３０２は、チャンバ３０４を部分的に画定する。流体不浸透性バリア３０２はまた、流体不浸透性バリア３０２を通って延びる開口部３０６を画定してもよく、それは、男性の尿道がそれを通して配置されるように構成される。流体不透過性バリア３０２はまた、少なくとも１つの通路３６２を含み得て、チャンバ３０４が実質的に大気圧に保たれることを可能にする。通路３６２は、カップ部分３５２の任意の部分、例えば、収集された流体用のリザーバとして機能することを意図していない部分に配置され得る。カップ部分３５２はまた、その中に、例えばチャンバ３０４内に少なくとも部分的に配置された導管１０８の少なくとも一部分を含む。例えば、導管１０８は、カップ部分３５２から開口部３５６に少なくとも近接する領域まで延びてもよい。開口部３５６に近接する領域は、男性の尿道の周りの皮膚の近く又は皮膚上（例えば、陰茎上）に配置され得る。したがって、患者が仰向けになると、流体（例えば、尿）は、対象者の皮膚に対して開口部３０６の近くに集まる場合がある。流体は、導管１０８を介してチャンバ３０４から除去され得る。導管１０８は、ウィッキング材料内に配置されてもよく、流体収集装置内に配置された入口と、真空源又は流体貯蔵容器の１つ以上と流体連通するように構成された出口とを含む。
【００５１】
いくつかの例では、真空源（図示せず）は、カップ部分３５２から離れて配置されてもよい。そのような例では、導管１０８は、カップ部分３５２から出て離れ、真空源又は流体貯蔵容器まで延びてもよい。例えば、導管の入口１１０は、導管１０８の出口（図示せず）が流体貯蔵容器の真空源と流体連通しているとき、真空を介してチャンバ３０４から流体を除去するのに使用し得る。
【００５２】
出口（図示せず）は、流体貯蔵容器（図示せず）と、導管１０８を通って矢印によって示される方向に流体連通してもよい。流体不透過性バリア３０２は、少なくとも１つの開口３２４を含み得て、それはチャンバ３０４内などで、導管１０８を受容して密封するようなサイズと形状にされる。したがって、チャンバ３０４の内部領域は、導管１０８を介して真空源と流体連通してもよい。真空源が図３の矢印の方向に真空／吸引を加えると、チャンバ３０４内の流体は、導管１０８を通して除去され得る。いくつかの例では、流体は、導管１０８のセクションの中に真空源を通してポンピングされてもよく、導管１０８は流体が堆積され得る流体貯蔵容器（図示せず）と流体連通する。
【００５３】
いくつかの例では、男性の陰茎のサイズ及び剛性が変化するため、チャンバ３０４の部分は実質的に空であり得る。しかしながら、いくつかの例では（図示せず）、チャンバ３０４の最も外側の領域（例えば、カップ部分３５２の内部領域の周囲）は、多孔質材料（例えば、流体透過性膜１１８及び流体透過性支持体１２０の１つ以上、図２Ｂ）を含むことができ、それは男性の尿道からの尿の流れを鈍らせ、それにより飛沫を制限し、及び／又は流体をチャンバ３０４の選択された領域に向けるように構成される。チャンバ３０４は実質的に空であるため（例えば、チャンバ３０４の実質的にすべてがリザーバを形成する）、流体は、チャンバ３０４の重量分析最低点に貯留する可能性がある。チャンバ３０４の重量分析最低点は、個人の皮膚に対する衣服又は個人の皮膚と流体収集装置３００（開口部３５６に近接する）との交点、カップ部分３５２に形成されたコーナー、又は別の適切な位置（例えば、開口部３５６の反対側の領域に近接する）にあり得る。導管１０８の入口１１０は、チャンバ３０４の重量分析最低点に隣接又は近接するように配置され得る。
【００５４】
動作中、流体収集装置３００を使用している男性は、流体（例えば、尿）をチャンバ３０４に排出し得る。流体は、ユーザ（例えば、着用者）の皮膚に対してなど、チャンバ３０４内に貯留するか、そうでなければ収集され得る。流体の少なくとも一部は、入口１１０を介して導管１０８の内部に入ることができる。流体は、真空源によって供給される真空／吸引を介して流体収集装置３００から引き出され得る。いくつかの例では、動作中、通路３６２は、流体がチャンバ３０４の中に導入され、続いてチャンバ３０４から除去される場合でさえ、チャンバ３０４内の圧力を大気圧に実質的に維持し得る。
【００５５】
図４は、一実施形態による、流体収集用の衣服４０の正面図である。衣服４０は、１つ以上の態様において、衣服１０と類似又は同一であり得る。衣服４０は、着用者の骨盤に適合し、その上の位置を維持するようなサイズと形状にされた布体４２を含む。布体４２は、ブリーフの形態の下着を形成するようにサイズを決められ、形作られ、構成されてもよい。衣服４０の布体４２は、１つ以上の態様で布体１２と類似又は同一であり得る。衣服４０の布体４２は、その中にポート４４を含む。衣服４０のポート４４は、１つ以上の態様でポート１４と類似又は同一であり得る。例えば、ポート４４は、布体４２の股に配置されてもよい。ポート４４は、衣服４０が着用されるとき、着用者の尿道の領域又はその上に（例えば、股の領域内に）配置される。流体収集装置（例えば、１００又は３００）は、ポート４４内に配置され得て、その結果、領域内の流体（例えば、尿）は流体収集装置によって収集され得る。したがって、衣服４０及びその上のポート４４は、流体収集装置をユーザの尿道と位置合わせするように機能でき、そこから発生する流体を、衣類又は寝具を汚す前に収集し得る。
【００５６】
図４Ａは、一実施形態による、図４の衣服の側面図概略である。図４Ａは、衣服４０ａを示し、ポート４４ａを含んで、その中に流体収集装置１００などの女性の流体収集装置を含む。流体収集装置１００は、ポート４４ａ内に嵌合するようなサイズ及び形状にされる。ポート４４ａは、衣服４０ａを着用している女性の尿道に、又は尿道の上に流体収集装置１００を配置するようにサイズを決められ、配置され、形作られる。例えば、ポート４４ａは、流体収集装置１００を受容し、流体収集装置の開口部（図示せず）を衣服４０ａの着用者の尿道領域又は開口部に配置するようにサイズを決められ、配置され得る。ポート４４ａは、流体収集装置１００とサイズが相補的であり得て、例えば、流体収集装置を衣服４０ａ内の実質的に固定された位置に保持する。例示のように、ポート４４ａは、陰部から会陰部まで延びてもよい。ポート４４ａは、衣服４０ａの中又は上に配置されてもよい。ポート４４ａは、流体収集装置１００をその中に挿入することを可能にするのに十分な布を含み、かつ挿入されたときにポート４４ａ及び衣服４０ａ内の流体収集装置１００の動きを制限し得る。いくつかの例では、ポート４４ａは、１つ以上の調整可能なストラップを有するなど、調整可能であり得て、ポート４４ａ内の空間の容積を調整して流体収集装置１００を保持し、又はより大きな流体収集装置をそこに挿入することを可能にする。
【００５７】
ポート４４ａは、１つ以上の穴をその中に含んで、導管１０８を通過させてもよい。例えば、穴はポート４４ａの下部分（例えば、会陰領域）の衣服４０ａに形成されてもよく、使用時（例えば、着用時）に導管１０８を流体収集装置１００の最下部分に配置することを可能にする。導管１０８は、ポート４４ａ内の流体収集装置１００の中に挿入され得る。衣服４０ａは、女性ユーザによって着用されて流体放出を含有して除去し得る。類似の衣服を使用して、男性の着用者（ユーザなど）を治療できる。
【００５８】
図４Ｂは、一実施形態による、図４の衣服の側面図概略である。図４Ｂは、衣服４０ｂを示し、それはポート４４ｂを含んで、流体収集装置３００などの男性の流体収集装置をその中に含有する。流体収集装置３００は、ポート４４ｂ内に嵌合するようなサイズと形状にされる。ポート４４ｂは、衣服４０ｂを着用している男性の尿道に、又は尿道の上に流体収集装置３００を配置するようにサイズを決められ、配置され、形作られる。例えば、ポート４４ｂは、流体収集装置３００を受容し、流体収集装置３００のカップ部分（図３）を衣服４０ｂの着用者の尿道領域又は開口部（例えば、陰茎）の上方（例えば、上）に配置するようにサイズを決められ、配置され得る。ポート４４ｂは、流体収集装置３００とサイズが相補的であってもよく、流体収集装置３００を衣服４０ｂ内の実質的に固定された位置に保持する。例示のように、ポート４４ｂは、陰部から会陰部に向かって延びてもよい。ポート４４ｂは、衣服４０ｂの中又は上に配置されてもよい。ポート４４ｂは、流体収集装置３００をその中に挿入することを可能にするのに十分な布を含み、挿入されたときにポート４４ｂ及び衣服４０ｂ内の流体収集装置３００の動きを制限し得る。いくつかの例では、ポート４４ｂは、１つ以上の調整可能なストラップを有するなど、調整可能であり得て、ポート４４ｂ内の空間の容積を調整して流体収集装置３００を保持し、又はより大きな流体収集装置をそこに挿入することを可能にする。
【００５９】
ポート４４ｂは、１つ以上の穴をその中に含んで、導管１０８を通過させてもよい。例えば、穴がポート４４ｂの下部分の衣服４０ｂに形成されて、着用時に導管１０８を流体収集装置３００の最下部分に配置することを可能にしてもよい。導管１０８は、ポート４４ｂ内の流体収集装置３００の中に挿入され得る。衣服４０ｂは、男性ユーザによって着用されて流体放出を含有して除去し得る。
【００６０】
いくつかの例では、ポート又は布体の１つ以上は、伸縮性材料を含み得る。伸縮性材料は、流体収集装置を収容し、それをポート内に保持し得る。
【００６１】
いくつかの例では、衣服は多孔質材料を含むことができ、流体が着用者からその中の流体収集装置内に通過することを可能にする。図４Ｃは、一実施形態による、図４の衣服の後面の等角図である。図４Ｃは、衣服４０ｃを後面４９から示す。衣服４０ｃは、ポート４４ｃを備えた布体４２を含み、流体収集装置１００又は３００などの流体収集装置をその中に含有する。ポート４４ｃは、衣服４０ｃを着用しているユーザの尿道に、又は尿道上に流体収集装置を配置するようにサイズ決めされ、配置され、形作られる。例えば、ポート４４ｃは、流体収集装置を受容し、流体収集装置の開口部を衣服４０ｃの着用者の尿道領域又は開口部の上方（例えば、上）に配置するようにサイズを決められ、配置され得る。ポート４４ｃは、流体収集装置とサイズが相補的であり得て、流体収集装置を衣服４０ｃ内の実質的に固定された位置に保持する。例示のように、ポート４４ｃは、衣服４０ｃの内部に配置され得る。図４Ｃは、衣服４０ｃの内部を示し、衣服４０ｃの内部陰部領域など、衣服４０ｃの前面４８に配置されたポート４４ｃを含む。ポート４４ｃは、着用者の皮膚と流体収集装置との間に位置するように配置された領域に多孔質材料４５を含み得る。多孔質材料４５は、衣服４０ｃ（例えば、ポートの材料）による吸収を最小限に抑えながら、流体が着用者からポート４４ｃ内の流体収集装置に流れることを可能にしてもよい。いくつかの例では、多孔質材料４５は、疎水性又は非吸収性材料を含み、例えば、ポリプロピレン、ポリエステル、アクリル繊維などである。いくつかの例では、多孔質材料４５は、布メッシュを含み、例えば、綿、羊毛、絹、ゴム、ポリエステル、アクリル繊維、本明細書に開示される任意の布などのメッシュである。例えば、衣服４０ｃは、対象者及び流体収集装置の開口部に接触する位置にメッシュ材料又は非吸収性材料を含み得る。
【００６２】
いくつかの例では、布体４２は、布メッシュ、疎水性材料、又は非吸収性材料のうちの１つ以上で作ることができる。そのような例では、ポートは、布体と同じ材料又は異なる材料、例えば、本明細書に開示される布体の任意の材料などで作られてもよい。そのような例では、ポートは、布体の外面に付着されたポート本体（例えば、ポケットを形成する布片）を含んでもよく、布体とポート本体との間にポケットを形成する。着用者によって放出された流体は、布体４２を通過して、布体による最小限の吸収で流体収集装置に入ることができる。
【００６３】
いくつかの例では、多孔質材料４５は、伸縮可能であり、又は過剰の材料を有してもよく、男性着用者の陰茎がポートに配置された流体収集装置のチャンバに適合することを可能にする。いくつかの例（図示せず）では、多孔質材料４５又は布体４２は、ポート領域に穴を含んでもよく、それは男性ユーザの陰茎がポートに配置された流体収集装置のチャンバに挿入されることを可能にするサイズと形状にされる。
【００６４】
いくつかの例では、衣服は、衣服の尿道領域（例えば、着用者の尿道の上に適合する領域）の布に１つ以上の穴又は穿孔を含み得る。そのような例では、流体は、布の１つ以上の穴又は穿孔を通過して、流体収集装置に入る。流体収集装置の開口部は、１つ以上の穴又は穿孔に配置されてもよい。
【００６５】
本明細書の衣服は、異なる形態を有してもよく、パンツ、ショーツ、下着、例えばブリーフ、ボクサブリーフ、ソング、局部用サポータなど、及び生理帯などが挙げられる。
【００６６】
図５は、一実施形態による、流体収集用の衣服５０の正面図である。衣服５０は、１つ以上の態様で衣服１０と類似又は同一であり得る。衣服５０は、布体５２を含み、それは着用者の骨盤に適合し、その上の位置を維持するようなサイズ及び形状にされる。布体５２は、ボクサブリーフ又はショーツの形態の下着を形成するようにサイズを決められ、形作られ、構成されてもよい。衣服５０の布体５２は、１つ以上の態様で布体１２と類似又は同一であり得る。衣服５０の布体５２は、その中にポート５４を含む。衣服５０のポート５４は、１つ以上の態様でポート１４と類似又は同一であり得る。例えば、ポート５４は、布体５２の股に配置され得る。ポート５４は、衣服５０が着用されるとき、着用者の尿道の領域の上に（例えば、股の領域内に）配置される。流体収集装置（例えば、１００又は３００）は、ポート５４内に配置され得て、その結果、領域内の流体（例えば、尿）は流体収集装置によって収集され得る。したがって、衣服５０及びその上のポート５４は、流体収集装置をユーザの尿道と位置合わせするように機能でき、そこから発生する流体を衣類又は寝具を汚す前に収集し得る。
【００６７】
図６は、一実施形態による、流体収集用の衣服６０の正面図である。衣服６０は、１つ以上の態様で衣服１０と類似又は同一であり得る。衣服６０は、布体６２を含み、それは着用者の骨盤に適合し、その上の位置を維持するようなサイズ及び形状にされる。布体６２は、ソング下着の形態で下着を形成するようにサイズを決められ、形作られ、構成されてもよい。衣服６０の布体６２は、１つ以上の態様で布体１２と類似又は同一であり得る。衣服６０の布体６２は、その中にポート６４を含む。衣服６０のポート６４は、１つ以上の態様でポート１４と類似又は同一であり得る。例えば、ポート６４は、布体６２の股に配置され得る。ポート６４は、衣服６０が着用されるとき、着用者の尿道の領域の上に（例えば、股の領域内に）配置される。流体収集装置（例えば、１００又は３００）は、ポート６４内に配置され得て、その結果、領域内の流体（例えば、尿）は流体収集装置によって収集され得る。したがって、衣服６０及びその上のポート６４は、流体収集装置をユーザの尿道と位置合わせするように機能でき、そこから発生する流体を衣類又は寝具を汚す前に収集し得る。
【００６８】
図７は、一実施形態による、流体収集用の衣服７０の正面図である。衣服７０は、１つ以上の態様で衣服１０と類似又は同一であり得る。衣服７０は、布体７２を含み、それは着用者の骨盤に適合し、その上の位置を維持するようなサイズ及び形状にされる。布体７２は、局部用サポータの形態で下着を形成するようにサイズを決められ、形作られ、構成されてもよい。衣服７０の布体７２は、１つ以上の態様で布体１２と類似又は同一であり得る。衣服７０の布体７２は、その中にポート７４を含む。衣服７０のポート７４は、１つ以上の態様でポート１４と類似又は同一であり得る。例えば、ポート７４は、布体７２の股に配置され得る。ポート７４は、衣服７０が着用されるとき、着用者の尿道の領域の上に（例えば、股の領域内に）配置される。流体収集装置（例えば、１００又は３００）は、ポート７４内に配置され得て、その結果、領域内の流体（例えば、尿）は流体収集装置によって収集され得る。したがって、衣服７０及びその上のポート７４は、流体収集装置をユーザの尿道と位置合わせするように機能でき、そこから発生する流体を衣類又は寝具を汚す前に収集し得る。
【００６９】
いくつかの例では、衣服は、調整可能であり得て、着用者の尿道領域に対してポートの位置を調整する。例えば、衣服は、１つ以上の調整可能なストラップを含み得る。図７Ａは、一実施形態による、流体収集用の衣服７０ａの正面図である。衣服７０ａは、１つ以上の態様で衣服１０と類似又は同一であり得る。衣服７０ａは、布体７２ａを含み、それは着用者の骨盤に適合し、その上の位置を維持するようなサイズ及び形状にされる。布体７２ａは、一般的に局部用サポータの形態で下着を形成するようにサイズを決められ、形作られ、構成されてもよい。衣服７０の布体７２ａは、１つ以上の態様で布体１２と類似又は同一であり得る。衣服７０の布体７２ａは、その中にポート７４を含む。衣服７０ａのポート７４は、１つ以上の態様でポート１４と類似又は同一であり得る。例えば、ポート７４は、布体７２ａの股に配置され得る。ポート７４は、衣服７０ａが着用されるとき、着用者の尿道の領域の上に（例えば、股の領域内に）配置される。布体７２ａは、１つ以上の調整可能なストラップ７７及びウエストバンド７８を含み得る。１つ以上の調整可能なストラップは、ポート７４及びウエストバンド７８に取り付けられてもよい。ウエストバンド７８及び１つ以上の調整可能なストラップ７７は、相補的な接続（例えば、ボタンとボタン穴、フックとループ片など）を有し得る。調整可能なストラップ７７は、ストラップの本体に沿って複数の接続特徴（例えば、複数のボタン、フックとループ片など）を含んでもよく、ウエストバンド７８とポート７４との間の調整可能なストラップの長さの調整を可能にする。いくつかの例では、ウエストバンド７８は、拡張可能又は収縮可能であり得る。流体収集装置（例えば、１００又は３００）は、ポート７４内に配置され得て、その結果、領域内の流体（例えば、尿）は流体収集装置によって収集され得る。調整可能なストラップ７７を使用して、着用者の尿道領域で流体収集装置の位置を変更し得る。したがって、衣服７０、調整可能なストラップ７７，及びポート７４は、流体収集装置をユーザの尿道と位置合わせするように機能でき、そこから発生する流体を衣類又は寝具を汚す前に収集し得る。
【００７０】
本明細書に開示される衣服のいずれも、１つ以上の寸法で調整可能であり得て、着用者の尿道領域に対してポート及びその中の流体収集装置の位置を選択的に調整する。したがって、単一の衣服は多様なサイズのユーザで利用され得る。
【００７１】
いくつかの例（図示せず）では、衣服は、生理帯に類似した構造を含んでもよく、ポケット又はポート（及び流体収集装置）は、生理帯の対向する接続の間で着用者の尿道上の所定の位置に保持される。
【００７２】
図８は、一実施形態による、流体収集用のシステム８００のブロック図である。システム８００は、その上のポート８１４に流体収集装置８０１を含有する衣服８１０、流体貯蔵容器８６０、及び真空源８７０を含む。流体収集装置８０１、流体貯蔵容器８６０、及び真空源８７０は、１つ以上の導管１０８を介して互いに流体連通にあり得る。例えば、流体収集装置８０１は、流体貯蔵容器８６０又は携帯型供給源８７０の１つ以上に、導管１０８を介して動作可能に結合され得る（例えば、流体連通において）。衣服８１０は、本明細書に開示される衣服のいずれかと類似又は同一であり得る。流体収集装置８０１は、本明細書に開示される流体収集装置のいずれか、例えば、男性又は女性の流体収集装置と類似又は同一であり得る。
【００７３】
流体収集装置８０１に収集された流体（例えば、尿又は他の体液）は、流体収集装置８０１の内部領域に突出する導管１０８を介して流体収集装置８０１から除去され得る。例えば、導管１０８の第１の開口端部は、流体収集装置８０１の中へ、その中のリザーバまで延びてもよい。導管１０８の第２の開口端部は、流体収集装置８０１又は真空源８７０の中に延びてもよい。吸引力は、流体収集装置８０１の内部領域の中に、導管１０８の第２の端部に加えられた吸引（例えば、真空）力に応答して、導管１０８の第１の開口端部を介して導入され得る。吸引力は、真空源８７０によって直接又は間接的に導管１０８の第２の開口端部に加えられてもよい。
【００７４】
吸引力は、流体貯蔵容器８６０を介して間接的に加えられてもよい。例えば、導管１０８の第２の開口端部は、流体貯蔵容器８６０内に配置され得て、追加の導管１０８は、流体貯蔵容器８６０から真空源８７０まで延び得る。したがって、真空源８７０は、流体貯蔵容器８６０を介して流体収集装置８０１に吸引を加えることができる。いくつかの例では、吸引力は、真空源８７０を介して直接加えられ得る。例えば、導管１０８の第１の開口端部は、流体収集装置８０１内に配置され得て、導管１０８の第２の開口端部は、真空源８７０内に配置され得る。追加の導管１０８は、真空源８７０から、流体収集装置８０１の外側の点、例えば流体貯蔵容器８６０まで延びてもよい。そのような例では、真空源８７０は、流体収集装置８０１と流体貯蔵容器８６０との間に配置され得る。
【００７５】
例では、流体貯蔵容器８６０は、バッグ（例えば、排液バッグ）、ボトル又はカップ（例えば、収集瓶）、チューブ、又は尿などの体液を貯蔵する任意の他の容器を含み得る。例では、導管１０８は、流体収集装置８０１から延び、その中の第１の点で流体貯蔵容器８６０に取り付けられ得る。追加の導管１０８は、流体貯蔵容器８６０にその上の第２の点で取り付けられ得て、延長されて真空源８７０に取り付けられてもよい。例えば、流体貯蔵容器８６０は、容器を含んでもよく、それは流体収集装置８０１とも流体連通する第１の導管セクションと流体連通にある。容器は、真空源とも流体連通する導管１０８の第２のセクションと流体連通であってもよい。そのような例では、真空源８７０は、容器を通して流体収集装置８０１に真空／吸引を供給し、流体収集装置のチャンバ内に吸引を供給し得る。したがって、真空（例えば、吸引）は、流体貯蔵容器８６０を介して流体収集装置８０１を通して引き出され得る。流体がチャンバから排出されると、流体は導管の第１のセクションを通って流体貯蔵容器に移動し、そこで保持されてもよい。尿などの流体は、真空源８７０を使用して流体収集装置８０１から排出され得る。
【００７６】
真空源８７０は、手動真空ポンプ、電気真空ポンプ、ダイヤフラムポンプ、遠心ポンプ、置換ポンプ、磁気駆動ポンプ、蠕動ポンプ、又は真空を生成するように構成された任意のポンプのうちの１つ以上を含み得る。真空源８７０は、真空又は吸引を供給して、流体収集装置８０１から流体を除去し得る。例では、真空源８７０は、１つ以上の電源コード（例えば、電源ソケットに接続される）、１つ以上の電池、又は手動電源（例えば、手動真空ポンプ）によって電力を供給されてもよい。本明細書に開示される真空源８７０は、スイッチ、ボタン、プラグ、リモート、又は真空源８７０を作動するのに適した任意の他の装置のうちの１つ以上を含み得る。
【００７７】
図９は、一実施形態による、流体を収集する方法９００の流れ図である。方法９００は、動作９１０を含み得て、それは「流体収集装置を衣服のポートに配置し、ポートは、流体収集装置の開口部を衣服の着用者の尿道と位置合わせするようにサイズが決められ、衣服上に配置されること」と記述される。動作９１０の後に動作９２０に移ってもよく、それは「衣服を着用者に配置して、流体収集装置を着用者の尿道に隣接して配置すること」と記述される。動作９２０の後に動作９３０に移ってもよく、それは「流体を尿道から流体収集装置のチャンバの中へ受容すること」と記述される。
【００７８】
方法９００の動作９１０、９２０、９３０は、例示目的のためである。例えば、方法９００の動作９１０、９２０、９３０は、異なる順序で実行され、複数の動作に分割され、変更され、補足され、又は組み合わされ得る。一例では、方法９００の動作９１０、９２０、９３０のうちの１つ以上は、方法９００から省略され得る。例えば、方法９００は、動作９１０を含まなくてもよい。動作９１０、９２０、又は９３０のいずれも、本明細書に開示される衣服、流体収集装置、真空源、流体貯蔵容器、システム、又はその構成要素のいずれかを使用することを含み得る。例えば、流体収集装置は、チャンバを少なくとも部分的に画定する流体不透過性バリアを含んでもよく、流体不透過性バリアはまたそれを通って延びる開口部を画定し、開口部は女性の尿道に隣接して配置され、又は男性の尿道をそれに通して配置するように構成される。流体収集装置は、チャンバとともに配置されたウィッキング材料と、ウィッキング材料内に配置された導管とを含んでもよく、導管は、流体収集装置内に配置された入口と出口とを含む。
【００７９】
方法９１０は、「流体収集装置を衣服のポートに配置し、ポートは、流体収集装置の開口部を衣服の着用者の尿道と位置合わせするようにサイズが決められ、衣服上に配置されること」と記述される。いくつかの例では、動作９１０は、流体収集装置を衣服のポートに挿入することを含む。流体収集装置は、女性の流体収集装置であり得て、衣服は、その中に女性の流体収集装置を保持するように構成されたポートを含み得る。流体収集装置は、男性の流体収集装置であってもよく、衣服は、男性の流体収集装置をその中に保持するように構成されたポートを含み得る。ポートは、対象着用者の性別に応じて衣服に配置され得る。
【００８０】
動作９２０は、「衣服を着用者に配置して、流体収集装置を着用者の尿道に隣接して配置すること」と記述される。流体収集装置が着用者の尿道に隣接して配置されるように衣服を着用者に配置することは、流体収集装置を衣服のポートに配置する前、後、又は同時に、衣服を着用するか、又は衣服を着用者に配置することを含み得る。流体収集装置が着用者の尿道に隣接して配置されるように衣服を着用者に配置することは、流体収集装置がその中に配置されたときに、流体収集装置が着用者の尿道に隣接して配置されることを含み得る。例えば、流体収集装置が着用者の尿道に隣接して配置されるように着用者に衣服を配置することは、動作９１０の前に実行され得る。流体収集装置が着用者の尿道に隣接して配置されるように着用者に衣服を配置することは、本明細書に開示される衣服のいずれかを着用者に着用又は配置することを含み得る。例えば、流体収集装置が着用者の尿道に隣接して配置されるように、着用者に衣服を配置することは、調整可能なストラップを用いて衣服の１つ以上の寸法を調整して、ポート又は流体収集装置を着用者の尿道上に配置することを含み得る。
【００８１】
いくつかの例では、流体収集装置が着用者の尿道に隣接して配置されるように、着用者に衣服を配置することは、女性の流体収集装置の流体透過性膜が女性の尿道に当接するか、又はその近くに配置されるように、女性の流体収集装置の開口部を配置することを含み得る。例えば、ユーザの女性の尿道に隣接して流体収集装置の開口部を配置することは、衣服のポート内で、着用者の陰唇上又は間に流体収集装置の開口部を配置することを含んでもよい。
【００８２】
動作９３０は、「流体を尿道から流体収集装置のチャンバの中へ受容すること」と記述される。例えば、動作９３０は、ウィッキング材料（例えば、流体透過性膜及び流体透過性支持体）を使用して、開口部を介して流体を尿道から離してウィッキングすることを含み得る。いくつかの例では、動作９３０は、流体を流体収集装置のチャンバの中に受容することを含み得る。いずれの例でも、動作９３０は、真空源の流体連通にある導管の入口と流体連通するチャンバの一部分に向かって流体を流すことを含み得る。例えば、動作９３０は、流体をチャンバの実質的に占有されていない部分（例えば、リザーバ）へ、チャンバの重量分析最低点などへ流すことを含み得る。
【００８３】
方法９００は、チャンバ内に配置された導管を介して、チャンバから流体を吸引するのに効果的な真空源を用いて吸引を加えることを含んでもよく、導管は真空源と流体連通にある。例において、チャンバ内に配置されて、真空源と流体連通にある導管を介して、チャンバから流体を吸引するのに効果的な真空源を用いて吸引を加えることは、本明細書に開示される真空源のいずれかを使用することを含み得る。一例では、吸引を加えることは、流体収集装置の導管の入口と流体連通する真空源（例えば、吸引装置）を作動させることを含み得る。例では、流体収集装置の導管の入口と流体連通する真空源を作動することは、オン／オフスイッチを入れること、ボタンを押すこと、真空源を電源コンセントに差し込むこと、電池を真空源に入れることの１つ以上によって真空源に電力を供給することを含み得る。例では、真空源は手動真空ポンプを含んでもよく、真空源を用いて吸引を加えることは、チャンバ内に配置されて、真空源と流体連通にある導管を介して、チャンバから流体を吸引するのに効果的な手動真空ポンプを手動で操作することを含み得る。
【００８４】
例では、チャンバ内に配置されて、真空源と流体連通にある導管を介して、チャンバから流体を吸引するのに効果的な真空源を用いて吸引を加えることは、流体収集装置のチャンバ（例えば、内部領域）から少なくとも一部の流体（例えば、尿）を除去するのに効果的であり得る。例では、チャンバ内に配置されて、真空源と流体連通にある導管を介して、チャンバから流体を吸引するのに効果的な真空源を用いて吸引を加えることは、流体収集装置のチャンバから真空源及び流体収集装置と流体連通する流体貯蔵容器（例えば、ボトル又はバッグ）に流体の少なくとも一部を輸送するのに効果的であり得る。例では、真空源は、流体収集装置から離隔され得る。
【００８５】
例では、チャンバ内に配置されて、真空源と流体連通にある導管を介して、チャンバから流体を吸引するのに効果的な真空源を用いて吸引を加えることは、チャンバ内の水分を（例えば、１つ以上の水分センサを介して）検出し、それに応答して、真空源を作動させてチャンバ内に吸引を加えることを含み得る。水分又はその閾値レベルがチャンバ内に存在することを示す信号に応答する真空源の制御は、コントローラを介するなど自動的であり得て、又は流体収集装置のチャンバからの流体の除去を必要とし得るレベルの水分が存在するという指標を単に提供してもよい。後者の場合、ユーザは指標を受けて、真空ポンプを作動させ得る。
【００８６】
一例では、方法９００は、流体収集装置から除去された流体を、例えば、流体収集装置から離隔されて導管と流体連通する流体貯蔵容器などに収集することを含み得る。流体貯蔵容器は、本明細書に開示される流体貯蔵容器のいずれかを含み得る。
【００８７】
本明細書に記載の装置及び方法は、男性ユーザから集尿するように構成され得て、例えば、男性の尿道（例えば、陰茎）をその中に受容するように形状とサイズを決められた流体収集装置を有する。例では、方法９００は、男性の尿道の周りに男性の流体収集装置のレセプタクルを配置することを含み得て、男性の尿道はレセプタクル内に配置される。そのような例では、方法９００は、男性の流体収集装置のカップ部分をレセプタクルの中空領域に配置することを含み得て、男性の尿道は男性の流体収集装置のカップ部分の開口部を通して配置される。
【００８８】
様々な態様及び実施形態が本明細書に開示されるが、別の態様及び実施形態が考えられる。本明細書に開示される様々な態様及び実施形態は、例示を目的とするものであり、限定することを意図するものではない。
【図１】
2021520952.tif 000003
【図２Ａ】
2021520952.tif 000004
【図２Ｂ】
2021520952.tif 000005
【図３】
2021520952.tif 000006
【図４】
2021520952.tif 000007
【図４Ａ】
2021520952.tif 000008
【図４Ｂ】
2021520952.tif 000009
【図４Ｃ】
2021520952.tif 000010
【図５】
2021520952.tif 000011
【図６】
2021520952.tif 000012
【図７】
2021520952.tif 000013
【図７Ａ】
2021520952.tif 000014
【図８】
2021520952.tif 000015
【図９】
2021520952.tif 000016
【国際調査報告】
2021520952.tif 000017
2021520952.tif 000018